(57)【要約】【課題】延長スリーブを備えながら履き心地に影響を与えず収納することができ、しかも使用時に足やズボンを濡らしてしまうおそれの殆どない靴を提供する。【解決手段】靴１は、甲部２と、その後方から立上がると共に上端に開口部３を有する胴部４とを有し、開口部３近傍の外部に自己の下端を接合してなる延長スリーブ５と、開口部３近傍の外周に着脱自在に装着してなるカバーバンド６とを備えている。そして、延長スリーブ５は、可撓性を有する素材で形成されていて胴部４の上方に筒状に引上げられた使用形態と、胴部４の外周に巻き付く収納形態とに変更可能であり、また、カバーバンド６は、可撓性を有する素材で形成されると共に径方向に拡縮自在な締め付け部９，９を有し、延長スリーブ５が使用形態にあるとき延長スリーブ５の上端外周を締め付け部９で締めてずり落ちを防止する一方、収納形態にあるときその延長スリーブ５を外から包み込むようにした。【選択図】        図２
2019013691.tif 000002
【特許請求の範囲】
【請求項１】
甲部と、
その甲部の後方から上向きに立ち上がると共に上端に足を入れるための開口部を有する胴部と、を有する靴であって、
前記胴部の前記開口部近傍の外部全周に自己の下端を接合してなる延長スリーブと、
前記胴部の前記開口部近傍の外周に着脱自在に装着してなるカバーバンドと、を備えており、
前記延長スリーブは、可撓性を有する素材で形成されていて前記胴部の上方に筒状に引き上げられた使用形態と、環状バンド形態に高さを縮めて前記胴部の外周に巻き付く収納形態と、に変更可能であり、
前記カバーバンドは、可撓性を有する素材で形成されると共に径方向に拡縮自在な締め付け部を有し、前記延長スリーブが使用形態にあるときその延長スリーブの上端外周を前記締め付け部で締めてずり落ちを防止する一方、前記延長スリーブが収納形態にあるときその延長スリーブを外から包み込むようにしたことを特徴とする靴。
【請求項２】
前記カバーバンドは、前記締め付け部がカバー本体の上下に形成されていて、収納形態にある前記延長スリーブの外周を前記カバー本体で包み込むと共にその上下を締め付け部で挟み込むようにしたことを特徴とする請求項１記載の靴。
【請求項３】
前記カバーバンドのカバー本体の外面に装飾を施すようにしたことを特徴とする請求項１又は２記載の靴。
【発明の詳細な説明】
【技術分野】
【０００１】
本発明は、甲部と、その甲部の後方から上向きに立ち上がると共に上端に足を入れるための開口部を有する胴部と、を有する靴に関する。
【背景技術】
【０００２】
甲部と、その甲部の後方から上向きに立ち上がると共に上端に足を入れるための開口部を有する胴部と、を有する靴は、言うまでもなく公知である。
また、一足で晴雨時のどちらにも対応可能なように、例えば、胴部の開口部に可撓性を有する延長スリーブを連設すると共に、通常時にはその延長スリーブを靴内に収納し、雨天時に延長スリーブを引き上げて胴部を伸ばすと共にそこからずり落ちないように頂部を足に締め付けるようにした靴が、例えば特許文献１に記載されている。
【先行技術文献】
【特許文献】
【０００３】
【特許文献１】特開２０００−３７２０２号公報
【発明の概要】
【発明が解決しようとする課題】
【０００４】
特許文献１の靴は、延長スリーブを胴部の内側に収納するようになっているが、かかる構造では、延長スリーブを収容した収容状態と延長スリーブを引き出した使用状態とで靴の内寸が大きく変化するため、靴のサイズが合わせにくい問題がある。例えば、延長スリーブを内部に収めた収納状態を基準にして靴を合わせると、延長スリーブを引き出した使用状態では、延長スリーブが抜けた分、ぶかぶかになって足にフィットしない、という不具合がある。
一方、延長スリーブを、例えばズボンの裾をロールアップするかのような要領で頂部を上から下に巻き降ろし、最終的に胴部の外周を取り巻く状態にした場合には、延長スリーブの内面が外に露出するため、もし延長スリーブが雨等で濡れると、その濡れた面が使用時に内側になるため、足やズボンが濡れてしまうおそれがある。また、巻いた延長スリーブが緩んでだらしなく垂れ下がるおそれもある。
【０００５】
本発明は上記に鑑みなされたもので、その目的は、胴部に延長スリーブを備えながら履き心地に影響を与えず収納することができ、しかも使用時に足やズボンを濡らしてしまうおそれの殆どない靴を提供することにある。
【課題を解決するための手段】
【０００６】
上記の目的を達成するため本発明は、
甲部と、
その甲部の後方から上向きに立ち上がると共に上端に足を入れるための開口部を有する胴部と、を有する靴であって、
前記胴部の前記開口部近傍の外部全周に自己の下端を接合してなる延長スリーブと、
前記胴部の前記開口部近傍の外周に着脱自在に装着してなるカバーバンドと、を備えており、
前記延長スリーブは、可撓性を有する素材で形成されていて前記胴部の上方に筒状に引き上げられた使用形態と、環状バンド形態に高さを縮めて前記胴部の外周に巻き付く収納形態と、に変更可能であり、
前記カバーバンドは、可撓性を有する素材で形成されると共に径方向に拡縮自在な締め付け部を有し、前記延長スリーブが使用形態にあるときその延長スリーブの上端外周を前記締め付け部で締めてずり落ちを防止する一方、前記延長スリーブが収納形態にあるときその延長スリーブを外から包み込むようにした靴を提供する。
【０００７】
また、請求項２に記載したように、前記カバーバンドは、前記締め付け部がカバー本体の上下に形成されていて、収納形態にある前記延長スリーブの外周を前記カバー本体で包み込むと共にその上下を締め付け部で挟み込むようにした請求項１記載の靴を提供する。
【０００８】
また、請求項３に記載したように、前記カバーバンドのカバー本体の外面に装飾を施すようにした請求項１又は２記載の靴を提供する。
【発明の効果】
【０００９】
本発明の靴は、延長スリーブを環状バンド形態して胴部の外側に収納するようにしたため、延長スリーブを使用・収納しても履き心地を悪化させるおそれがない。
また、収納形態にある延長スリーブをカバーバンドで覆うようにしたため、延長スリーブが仮にくしゃくしゃに丸められていたとしても見苦しくなく、また、水に濡れるおそれが殆どないから、延長スリーブを使用形態にしたとき内側が濡れている、というおそれもない。
一方、延長スリーブを収納形態から使用形態に変更したとき、外したカバーバンドを移動させて延長スリーブのずり落ちを止めるようにしたため、延長スリーブを使用しているとき、一々カバーバンドを外して持ち歩く必要もない。
【００１０】
また、請求項２に記載したように、カバーバンドの締め付け部をカバー本体の上下に形成した場合には、カバーバンドの上下の締め付け部が収納形態にある延長スリーブを上下方向から挟み込むため、カバーバンドが上下何れの方向にもずれ難く且つ延長スリーブもカバーバンド内で安定するため垂れ下がるおそれもない。しかもカバーバンドのカバー本体は可撓性を有するため、延長スリーブの収納形態の形状が一定でなくても柔軟に対応できる。
【００１１】
また、請求項３に記載したように、カバーバンドのカバー本体の外面に適宜な装飾を施すようにした場合には、カバーバンドが靴の装飾の一部であるかのように見えるため、延長スリーブを設けたことによる外観上の違和感も生じない。
【図面の簡単な説明】
【００１２】
【図１】延長スリーブを収納形態にして示す靴の斜視図である。
【図２】延長スリーブを収納形態にして示す靴の一部断面側面図である。
【図３】延長スリーブを使用形態にして示す靴の一部断面側面図である。
【発明を実施するための形態】
【００１３】
以下に本発明の実施の形態を図面を参照しつつ説明する。
実施形態の靴１は、いわゆる長靴であって、足先側の甲部２と、その甲部２の後方（踵側）から上向きに立ち上がると共に上端に足を入れるための開口部３を有する胴部４と、その胴部４の開口部３近傍の外部全周に自己の下端を接着剤等で接合してなる延長スリーブ５と、胴部４の開口部３近傍の外周に着脱自在に装着されるカバーバンド６と、からなる。
【００１４】
［延長スリーブ］
胴部４の外周に接合された前記延長スリーブ５は、可撓性を備えた素材で筒状に形成されていて、図３に示したように胴部４の上方（実施形態では太腿の付け根付近）に引き上げられた使用形態と、図２に示したように胴部４の外周に環状バンド形態に高さを縮めた収納形態と、に変更し得る。
また、延長スリーブ５は、靴１の用途に応じて防水機能や紫外線防止機能を備えた素材になっている。すなわち、実施形態の靴１は長靴であり、釣りなどで胴部４の頂部を越える水深の川や池に入る場合があることから、強い防水機能を備えた合成樹脂系の素材になっている。一方、靴１が、ファッション性の高いブーツである場合には、水跳ねや雨による濡れを防止すれば良いことから、雨傘程度の撥水機能を備えていればよく、また、日焼け対策として紫外線防止機能を備えていればさらによい。
【００１５】
［カバーバンド］
前記カバーバンド６は、可撓性を有する素材で形成された筒状のカバー本体７と、そのカバー本体７の上下にゴム紐８，８等を環状に通してあたかも作業用の腕貫きのごとく径方向に拡縮自在に形成された締め付け部９，９と、を有し、前記延長スリーブ５が使用形態にあるとき、その延長スリーブ５の上端外周を締め付け部９，９で締めてずり落ちを防止する一方、延長スリーブ５が収納形態にあるとき、その延長スリーブ５の外周をカバー本体７で包み込むと共にその上下を締め付け部９，９で挟み込むようになっている。
【００１６】
実施形態の靴１は、以上のような構成を有するため、通常時には延長スリーブ５を、図１，図２のように丸めるか或は単純にひしゃげさせる等して胴部４の外周に巻き付かせ（収納形態）、その延長スリーブ５をカバーバンド６で包み込むようになっている。したがって、通常時は、延長スリーブ５がカバーバンド６で覆われているため、その存在が判らない。しかも、カバーバンド６に例えば毛皮状の装飾を施せば、外観上は普通の靴と殆ど変わらない。
【００１７】
次ぎに、延長スリーブ５を筒状に引き上げて使用形態にする場合は、靴１を履いたまま、図３想像線に示したようにカバーバンド６を一旦甲部２付近まで降ろすか、或は逆に太腿の上方まで引き上げ、そうして外部に露出した延長スリーブ５を引き上げる。そうしてカバーバンド６を延長スリーブ５の頂部に移動させて締め付け部９，９で締め付ければ、延長スリーブ５が使用形態で安定する。したがって胴部４の頂部を越えるような水深の場所にも濡れずに対応できる。
なお、カバーバンド６は、足のどの位置にでも止められるため、延長スリーブ５の使用形態時の長さは、カバーバンド６によって自由に調節できる。
【００１８】
次ぎに、延長スリーブ５を使う必要がなくなった場合は、カバーバンド６を上又は下に移動させて延長スリーブ５から外し、そうして延長スリーブ５を例えばズボンの裾をロールアップするかのような要領で頂部を上から下に巻き降ろして収納形態に戻し、最終的にカバーバンド６で覆えばよい。
【００１９】
以上、本発明を実施の形態について説明したが、もちろん本発明は上記実施形態に限定されるものではない。例えば実施形態ではカバーバンド６の締め付け部９，９に環状のゴム紐８，８を用いたが、通常の紐を通して結ぶようにしてもよい。
【符号の説明】
【００２０】
１  …靴
２  …甲部
３  …開口部
４  …胴部
５  …延長スリーブ
６  …カバーバンド
７  …カバー本体
９，９  …締め付け部
【図１】
2019013691.tif 000003
【図２】
2019013691.tif 000004
【図３】
2019013691.tif 000005